(57)【特許請求の範囲】
【請求項１】
自動取引装置であって、
装置前面の側に配置された顧客操作部であって、顧客による入力を受け付ける顧客向けタッチパネルを有する顧客操作部と、
装置背面の側に配置された作業員向け表示部であって、作業員に対する作業員向け情報を表示する作業員向け表示部と、
前記装置前面への顧客の接近を検知する顧客検知部と、
前記顧客向けタッチパネルの入力検知状態を検査する際に、前記顧客検知部による顧客の接近が未検出な状態で、前記顧客向けタッチパネルの同一座標領域における入力が検知される回数が複数である異常入力が発生した場合に、前記顧客向けタッチパネルの前記異常入力に関する情報を前記作業員向け表示部で表示させる制御部と、
を備えることを特徴とする自動取引装置。
【請求項２】
請求項１に記載の自動取引装置であって、
前記制御部は、前記異常入力に関する情報として、前記顧客向けタッチパネルの汚れの清掃を促す情報もしくは故障の点検を促す情報を前記作業員向け表示部で表示させることを特徴とする自動取引装置。
【請求項３】
請求項１または請求項２に記載の自動取引装置であって、
前記制御部は、前記自動取引装置のリセットの処理中のいずれかのタイミングで前記顧客向けタッチパネルの前記入力検知状態の検査を行なうことを特徴とする自動取引装置。
【請求項４】
請求項１から請求項３までのいずれか一項に記載の自動取引装置であって、
前記制御部は、前記顧客向けタッチパネルの前記入力検知状態の検査において前記異常入力が発生した場合には、前記異常入力が発生した前記顧客向けタッチパネル上の座標領域をログとして保存することを特徴とする自動取引装置。
【請求項５】
請求項４に記載の自動取引装置であって、
前記制御部は、前記顧客向けタッチパネルの入力検知状態の検査において、前記ログに基づいて前記顧客向けタッチパネルの汚れの清掃と故障の点検のいずれが必要かを判断し、判断結果に応じて前記顧客向けタッチパネルの汚れの清掃を促す情報もしくは故障の点検を促す情報を前記作業員向け表示部で表示させることを特徴とする自動取引装置。
【請求項６】
請求項４に記載の自動取引装置であって、
前記制御部は、前記顧客向けタッチパネルの保守処理において、前記ログに基づいて前記顧客向けタッチパネルの汚れの清掃と故障の点検のいずれが必要かを判断し、判断結果に応じて前記顧客向けタッチパネルの汚れの清掃を促す情報もしくは故障の点検を促す情報を前記作業員向け表示部で表示させることを特徴とする自動取引装置。
【請求項７】
請求項１から請求項６までのいずれか一項に記載の自動取引装置であって、
前記顧客操作部は、前記顧客向けタッチパネルの下面に配置された顧客向け表示部を含み、
前記制御部は、前記顧客向けタッチパネルの清掃もしくは点検の領域の表示要求があった場合に、前記顧客向けタッチパネルの前記同一座標領域を示す画面を前記顧客向け表示部に表示させることを特徴とする自動取引装置。
【請求項８】
請求項１から請求項７までのいずれか一項に記載の自動取引装置であって、
前記制御部は、明細票印字要求が有った場合に、前記顧客向けタッチパネルの汚れの清掃を促す情報もしくは故障の点検を促す情報を少なくとも記載した明細票を、前記自動取引装置に備える明細票印字部で印字させることを特徴とする自動取引装置。
【請求項９】
自動取引装置の制御方法であって、
前記自動取引装置は、
装置前面の側に配置された顧客操作部であって、顧客による入力を受け付ける顧客向けタッチパネルを有する顧客操作部と、
装置背面の側に配置された作業員向け表示部であって、作業員に対する作業員向け情報を表示する作業員向け表示部と、
前記装置前面への顧客の接近を検知する顧客検知部と、
前記顧客操作部と前記作業員向け表示部と前記顧客検知部とを制御する制御部と、
を備え、
前記制御部は、前記顧客向けタッチパネルの入力検知状態を検査する際に、前記顧客検知部による顧客の接近が未検出な状態で、前記顧客向けタッチパネルの同一座標領域における入力が検知される回数が複数である異常入力が発生した場合に、前記顧客向けタッチパネルの前記異常入力に関する情報を前記作業員向け表示部で表示させる
ことを特徴とする自動取引装置の制御方法。
【発明の詳細な説明】
【技術分野】
【０００１】
本発明は、自動取引装置に関する。
【背景技術】
【０００２】
銀行等の金融機関だけでなく、デパート等の商業施設や、コンビニエンスストア等の種々の場所に自動取引装置、例えば、現金自動預け払い機（ＡＴＭ；automated teller machine ）が設置されている。自動取引装置は、タッチパネルを用いた操作部により顧客（利用者）の操作入力を受け付ける方式が広く採用されている（特許文献１参照）。この操作部は、表示装置に表示される操作画面に示された操作内容に沿った種々の操作入力領域（操作ボタン等）に利用者が触れることにより、その操作入力を受け付ける装置である。
【０００３】
特許文献１には、タッチパネルの操作入力の検出パターンでその操作の妥当性を判断し、真の取引操作でないと判断した場合は、タッチパネルによる操作を無効にする機能（以下、「自動キャンセル機能」とも呼ぶ）、および、そのタッチパネルの下方に配置された表示部に、無効にされた操作の種類に応じた案内を表示する機能を有する自動取引装置が開示されている。この自動取引装置では、自動キャンセル機能により、例えば、タッチパネル表面に付着したゴミ等の異物、あるいは、故障によるタッチパネルの誤入力や、虫等の侵入による誤入力等を防止することが可能である。
【先行技術文献】
【特許文献】
【０００４】
【特許文献１】特開２０１０−２８２３０９号公報
【発明の概要】
【発明が解決しようとする課題】
【０００５】
しかし、特許文献１に記載された自動取引装置は、上記のように、顧客が操作するタッチパネルの下方に配置された表示部に、無効にされた操作の種類に応じた案内を表示するものであり、自動取引装置を管理する側の係員や保守員等の作業員に直接通知することは想定されていない。このため、作業員が案内表示に気付かずに、異物が付着した状態や故障した状態等のタッチパネルに異常が発生した状態が長時間放置され、顧客の操作性を低下させてしまうことが懸念される。特に、自動取引装置の背面で作業員が種々の作業を行なうタイプの自動取引装置は、顧客が対面する前装置面側と作業員が対面する装置背面側とが壁で区切られるため、作業員が装置背面側から装置前面側を視認することができない場合が多い。このため、仮に、利用者側の表示部に案内が表示されていたとしても、作業員がそれに気付きにくく、その結果、タッチパネルに異常が発生した状態が長時間放置され、顧客の操作性を低下させてしまう可能性が高くなる。
【０００６】
また、自動取引装置では、通常、タッチパネルの軽微な故障(例えば、タッチパネルのセンサが１箇所故障する等)が発生しても、装置を停止させることはない。このため、タッチパネルの軽微な故障について作業員が気付きにくくなっており、故障のあるタッチパネルが点検や交換等されることなく長時間放置され、結果として顧客の操作性を低下させてしまうことも懸念される。
【０００７】
そこで、本発明は、装置前面側に配置されて顧客の入力を受け付けるタッチパネルの異常発生を検知して装置背面の作業員に通知して、発生した異常に対応する作業の実行を作業員に促すことが可能な技術を提供することを目的とする。
【課題を解決するための手段】
【０００８】
上記課題を解決するために、本発明は、装置前面側に配置された顧客操作部に含まれる顧客向けタッチパネルの入力検知状態を検査する際に、顧客検知部による顧客の接近が未検出な状態で、前記顧客向けタッチパネルの同一座標領域における入力が検知される回数が複数である異常入力が発生した場合に、前記顧客向けタッチパネルの前記異常入力に関する情報を前記作業員向け表示部で表示させる。
【発明の効果】
【０００９】
本発明によれば、タッチパネルに発生した異常入力に関する情報を装置背面側に居る作業員に通知することができるので、発生した異常に応じた対応する作業の実行を作業員に促すことができる。これにより、作業員は、発生した異常に応じた作業、例えば、顧客向けタッチパネルの汚れに対応する清掃や、顧客向けタッチパネルの故障に対応する点検等、を迅速に行うことが可能である。この結果、顧客の操作性を向上させることが可能である。
【図面の簡単な説明】
【００１０】
【図１】本発明の一実施形態としての自動取引装置の外観を模式的に示す説明図である。
【図２】図１に示した自動取引装置の内部構成を概略的に示す説明図である。
【図３】作業員操作部の作業員向け表示部に表示される作業員処理メニュー画面を示す説明図である。
【図４】リセット処理中に顧客操作部の顧客向け表示部及び作業員操作部の作業員向け表示部に表示される画面を示す説明図である。
【図５】顧客向けタッチパネルの入力検知状態を検査する処理フローを示す説明図である。
【図６】顧客向けタッチパネルの入力検知状態を検査する処理フローを示す説明図である。
【図７】顧客向けタッチパネルの入力検知状態を検査する処理フローを示す説明図である。
【図８】清掃要通知画面の一例を示す説明図である。
【図９】要清掃領域画面の一例を示す説明図である。
【図１０】点検要通知画面の一例を示す説明図である。
【図１１】保守処理の実行時に作業員操作部の作業員向け表示部に表示される保守処理メニュー画面を示す説明図である。
【図１２】寿命管理の処理の実行時に作業員操作部の作業員向け表示部に表示される寿命管理メニュー画面を示す説明図である。
【図１３】顧客操作部の顧客向けタッチパネルの寿命管理において実行される異常入力を検査する処理フローを示す説明図である。
【図１４】寿命管理情報画面として表示される清掃要通知画面の一例を示す説明図である。
【図１５】清掃要通知が印字された明細票の一例を示す説明図である。
【図１６】点検要通知画面の一例を示す説明図である。
【図１７】点検要通知が印字された明細票の一例を示す説明図である。
【発明を実施するための形態】
【００１１】
以下、本発明の実施形態の自動取引装置として現金自動預け払い機等の現金自動取引装置（以下、「ＡＴＭ」と呼ぶ）を実施形態の自動取引装置の例として説明する。
【００１２】
Ａ．実施形態：
図１は、本発明の一実施形態としての自動取引装置１００の外観を模式的に示す説明図である。この現金自動取引装置（ＡＴＭ）１００は、壁で仕切られた顧客側スペースにある装置前面側に、装置を利用する顧客が操作する顧客操作部１０と、顧客の接近を検知する顧客検知センサ３０と、顧客の顔及び上半身を撮影するカメラ３２と、顧客操作部１０の動作を切り替える作業員スイッチ４０と、を備えている。また、ＡＴＭ１００は、作業員側スペースにある装置背面側に作業扉１０２を備えており、作業扉１０２を開けた装置内部に係員や保守員等の作業員が操作する作業員操作部２０を備えている。作業員は、作業扉を開くことにより作業員操作部２０を操作することができる。なお、作業扉１０２には、作業扉１０２を閉じたままで作業員操作部２０の表示を確認するための確認窓１０４が設けられている。
【００１３】
図２は、図１に示した自動取引装置１００の内部構成を概略的に示す説明図である。ＡＴＭ１００は、図１に示した顧客操作部１０と作業員操作部２０と顧客検知センサ３０とカメラ３２と作業員スイッチ４０に加えて、明細票の印字及び発行を行なう明細票印字部５０と、これらの動作を制御する制御部６０と、を備えている。
【００１４】
顧客操作部１０は、顧客による入力を受け付けるタッチパネル１１と、タッチパネル１１の動作を制御するタッチパネル制御部（以下、「ＴＰ制御部」とも呼ぶ）１２と、タッチパネル１１の下面に配置されて顧客に対する顧客向け情報を表示する表示部１３と、表示部１３の動作を制御する表示制御部１４と、を備えている。顧客による入力を受け付けるタッチパネル１１が本発明の顧客向けタッチパネルに相当し、表示部１３が本発明の顧客向け表示部に相当する。以下では、タッチパネル１１及び表示部１３を「顧客向けタッチパネル１１」及び「顧客向け表示部１３」とも呼ぶ。なお、顧客向け情報としては、選択可能な取引内容や、選択した取引の操作の案内等の取引に関して顧客に案内する種々の情報が含まれる。
【００１５】
作業員操作部２０は、作業員による入力を受け付けるタッチパネル２１と、タッチパネル２１の動作を制御するＴＰ制御部２２と、タッチパネル２１の下面に配置されて作業員に対する作業員向け情報を表示する表示部２３と、表示部２３の動作を制御する表示制御部２４と、を備えている。タッチパネル２１が作業員向けタッチパネルに相当し、表示部２３が作業員向け表示部に相当する。以下では、タッチパネル２１及び表示部２３を「作業員向けタッチパネル２１」及び「作業員向け表示部２３」とも呼ぶ。なお、作業員向け情報としては、選択可能な作業内容や、選択した作業の操作の案内等の作業に関して作業者に案内する種々の情報が含まれる。
【００１６】
顧客向けタッチパネル１１及び作業員向けタッチパネル２１としては、赤外線方式や抵抗膜方式、静電容量方式の種々のタッチパネルを用いることができる。なお、このタッチパネルには、表示装置は含まれない。本例では、顧客向けタッチパネル１１としては赤外線方式のタッチパネルを用いるものとし、作業員向けタッチパネル２１としては抵抗膜方式のタッチパネルを用いるものとする。また、顧客向け表示部１３及び作業員向け表示部２３としては、ブラウン管（ＣＲＴ）ディスプレイや、液晶ディスプレイ（ＬＣＤ）等の種々の一般的な表示装置を用いることができる。本例では、顧客向け表示部１３及び作業員向け表示部２３として液晶ディスプレイ（ＬＣＤ）を用いるものとする。
【００１７】
制御部６０は、図示しないＣＰＵや、ＲＯＭ、ＲＡＭ等の内部記憶装置、ＨＤＤ（ハードディスクドライブ）等の外部記憶装置、などを備えるコンピュータであり、ＲＯＭやＨＤＤ等に記憶されているプログラムおよびデータ等のソフトウェアがＣＰＵによって実行されることにより、各種の処理に応じて各部の動作を制御する。なお、記憶装置の予め定めた領域には、後述する顧客向けタッチパネルの入力状態の検査を行った結果に関する情報が順次記録された統計ログファイル６１、及び、顧客向けタッチパネルの入力状態の検査および制御や、各部の動作制御に要する各種のパラメータ６２が保存されている。
【００１８】
本発明は、顧客向けタッチパネルの入力検知状態の検査及び関連する処理に関して特徴を有しており、ＡＴＭ１００で通常実行される各種処理およびこれに関連する動作や構成は従来のＡＴＭと同様である。そこで、以下では、顧客向けタッチパネルの入力検知状態の検査及び関連する処理に関して説明する。
【００１９】
図３は、作業員操作部２０の作業員向け表示部２３に表示される作業員処理メニュー画面ＰＳＭを示す説明図である。作業員（例えば、係員）が、作業員処理メニュー画面ＰＳＭに示された選択可能な処理（図の例では、「装填」、「回収」、「リセット」、「保守」等）のボタンから「リセット」ボタンＢｒを押下することにより、制御部６０によってＡＴＭ１００のリセット処理が実行される。図４は、リセット処理中に顧客操作部１０の顧客向け表示部１３及び作業員操作部２０の作業員向け表示部２３に表示される画面を示す説明図である。リセット処理が実行された場合、作業員向け表示部２３には、図４（Ａ）に示すリセット処理中であることを示すリセット処理中画面ＰＳＲが表示され、顧客向け表示部１３には、図４（Ｂ）に示す取り扱いが中止中であることを示す取扱中止画面ＰＣＲが表示される。そして、このリセット処理中のいずれかのタイミング、例えば、一連のリセット処理の実行された後の最後のタイミングで、制御部６０によって顧客向けタッチパネル１１の入力検知状態の検査の処理が実行される。ただし、これに限定されるものではなくリセット処理中の種々のタイミングで実行可能である。ＡＴＭ１００の種々のメンテナンス作業では、作業の終了時にリセット処理が実行される場合が多い。リセット処理において顧客向けタッチパネル１１の入力検知状態の検査の処理を実行することにより、メンテナンス作業毎に顧客向けタッチパネル１１の入力検知状態の検査の処理を実行することができる。
【００２０】
図５〜図７は、顧客向けタッチパネル１１の入力検知状態を検査する処理フローを示す説明図である。この処理フローを開始すると、制御部６０は、まず、ステップＳ１０４において顧客検知センサ３０がＯＦＦであり、ＡＴＭ１００の装置前面側に接近する人（顧客等）がいないことを確認するとともに、ステップＳ１０６においてカメラ３２で撮影した画像からも人（顧客）がいないことを確認する。これにより、顧客向けタッチパネル１１による入力が人によるものか、ゴミやほこり、虫等の異物によるものかを切り分けることができる。なお、ステップＳ１０６の処理は省略するようにしてもよい。
【００２１】
次に、制御部６０は、ステップＳ１０８において、顧客操作部１０の顧客向けタッチパネル１１のステータスを取得する。例えば、顧客操作部１０のＴＰ制御部１２に対して制御部６０が送信したステータスリードコマンドに対するコマンドの応答によって取得することができる。そして、制御部６０は、ステップＳ１１０において、取得した応答コマンドに基づいて、顧客向けタッチパネル１１が自動キャンセル状態であるか否かチェックする。通常、顧客向けタッチパネル１１を制御するＴＰ制御部１２には、顧客向けタッチパネル１１において一定時間の間に同一座標領域の入力を連続して検知した場合に、その入力を自動的にキャンセルする「自動キャンセル機能」を有している。「自動キャンセル状態」は、この機能による自動キャンセルが働いている状態を言う。
【００２２】
自動キャンセル状態でない場合には、制御部６０は、異常入力はないと判定して、その旨を示す異常なし通知画面（図示省略）を作業員操作部２０の表示制御部２４を介して作業員向け表示部２３に表示させ、後述するステップＳ１６２へ処理を移行する。一方、自動キャンセル状態である場合には、制御部６０は、ステップＳ１１２において、顧客操作部１０のＴＰ制御部１２に対して自動キャンセル機能を無効化するコマンドを送信することにより、自動キャンセル機能を無効化する。これにより、制御部６０は、顧客向けタッチパネル１１からの全ての入力を受け取ることが可能となる。
【００２３】
そして、制御部６０は、ステップＳ１１４において、各種のパラメータ６２のうち、チェック回数パラメータＮｃを初期化する（Ｎｃ＝０）とともに、ステップＳ１１６において、入力検知回数パラメータＮｉを初期化する（Ｎｉ＝０）。
【００２４】
次に、制御部６０は、ステップＳ１１８〜Ｓ１２６において、顧客向けタッチパネル１１の入力検知状態の実際の検査を実行する。まず、制御部６０は、ステップＳ１１８において、チェック回数パラメータＮｃの値を一つカウントアップする（Ｎｃ＝Ｎｃ＋１）。そして、制御部６０は、ステップＳ１２０において、顧客向けタッチパネル１１による入力を検知したか否かをチェックする。例えば、制御部６０は、顧客操作部１０のＴＰ制御部１２から入力の座標が送信されてくるか否かによって入力を検知することができる。入力を検知した場合には、ゴミ等の汚れによる異常入力の可能性あるいは顧客向けタッチパネル１１の故障による異常入力の可能性がある。そこで、制御部６０は、ステップＳ１２２において、顧客向けタッチパネル１１で検知した入力の座標（ｘ，ｙ）を配列パラメータＡｘｙ（Ｎｉ）に設定し（Ａｘｙ（Ｎｉ）＝（ｘ，ｙ））、ステップＳ１２４において入力検知回数パラメータＮｉの値を一つカウントアップする（Ｎｉ＝Ｎｉ＋１）。そして、制御部６０は、ステップＳ１２６においてチェック回数が５回に達した（Ｎｃ＝５）と判断するまで、ステップＳ１１８〜Ｓ１２６による顧客向けタッチパネル１１の入力検知状態の検査を繰り返し実行する。なお、顧客向けタッチパネル１１の入力検知状態の検査を複数回繰り返すことで、検査の確実性を高めることができる。例えば、虫等による一時的な入力検知を排除することが可能である。なお、検査の回数は５回に限定されるものではなく、検査の確実性や検査に要する時間等を考慮してあらかじめ定めた適切な回数に設定すればよい。
【００２５】
次に、制御部６０は、ステップＳ１２８〜Ｓ１３４において、顧客向けタッチパネル１１の異常入力の有無をチェックする。まず、制御部６０は、ステップＳ１２８において、入力検知回数が２回以上（Ｎｉ＞１）発生したか否かをチェックする。１回以下の場合には、制御部６０は、異常入力はないと判定して、その旨を示す異常なし通知画面（図示省略）を作業員操作部２０の表示制御部２４を介して作業員向け表示部２３に表示させ、後述するステップＳ１６２へ処理を移行する。後述するステップＳ１６２へ処理を移行する。２回以上の場合には、制御部６０は、ステップＳ１３０において、配列パラメータＡｘｙ（Ｎｉ）中に同一座標が存在するか否かによって同一座標の入力があったか否かをチェックする。なお、同一座標は完全な同一だけでなく、同一座標として丸め込みを行なっても良いとされる周辺の領域を含む同一座標領域としてもよい。この同一座標領域は、あらかじめ、タッチパネルの検出精度や検査の確実性等を考慮して予め定めた適切な範囲に設定すればよい。例えば、中心座標を中心とする半径０．５ｃｍの範囲内を同一座標領域と設定すればよい。
【００２６】
同一座標（同一座標領域）の入力がなかった場合には、制御部６０は、異常入力はないと判定して、その旨を示す異常なし通知画面（図示省略）を作業員操作部２０の表示制御部２４を介して作業員向け表示部２３に表示させ、後述するステップＳ１６２へ処理を移行する。一方、同一座標の入力があった場合には、制御部６０は、ステップＳ１３２において、汚れもしくは故障による異常入力があると判定し、ステップＳ１３４において、異常入力の判定結果とその日時、並びに、異常入力と判定した座標（同一座標領域の場合は、その座標領域）を、統計ログファイル６１に保存する。
【００２７】
次に、制御部６０は、ステップＳ１３６及びＳ１３８において、発生した異常入力が汚れによるものか故障によるものかをチェックする。まず、制御部６０は、ステップＳ１３６において、統計ログファイル６１を参照することにより、直近の過去の一定期間、例えば、１か月（３０日）の間における異常入力発生回数を取得し、発生回数パラメータＮｍに設定する。そして、制御部６０は、ステップＳ１３８において、異常入力発生回数が３回未満であるか否かをチェックする。異常入力発生回数が３回未満（Ｎｍ＜３）の場合には、制御部６０は、顧客向けタッチパネル１１に汚れが発生していると判定し、汚れに対応するステップＳ１４０〜Ｓ１４６へ処理を移行する。一方、異常入力発生回数が３回以上（Ｎｍ≧３）の場合には、制御部６０は、顧客向けタッチパネル１１に故障の可能性があると判定し、故障に対応するステップＳ１５０〜Ｓ１５６へ処理を移行する。なお、上記した直近の過去の一定期間は、１か月（３０日）に限定されるものではなく、検査の実行頻度、汚れの発生頻度、等を考慮してあらかじめ定めた適切な値に設定すればよい。また、異常入力発生回数の閾値は３回に限定されるものではなく、検査の実行頻度、汚れの発生頻度、故障率、平均故障間隔等を考慮してあらかじめ定めた適切な値に設定すればよい。
【００２８】
汚れに対応するステップＳ１４０〜Ｓ１４６は、以下のように実行される。ステップＳ１３８において、顧客向けタッチパネル１１に汚れが発生していると判定した場合、制御部６０は、まず、ステップＳ１４０において、作業員操作部２０の表示制御部２４を介して作業員向け表示部２３に、顧客操作部１０の顧客向けタッチパネル１１の汚れの清掃を促すための「清掃要通知画面」を表示させる。図８は清掃要通知画面ＰＲＱＣの一例を示す説明図である。清掃要通知画面ＰＲＱＣには、顧客操作部１０の顧客向けタッチパネル１１が汚れており、清掃が必要であることを示すメッセージとともに、異常入力を検知した座標（同一座標領域）の周辺の領域(異常入力と判定した座標（座標領域）を中心とした例えば半径５ｃｍの領域)を含む要清掃領域を概略的に示す画面が表示される。これらの顧客向けタッチパネル１１の清掃を促すための情報が作業員向け表示部２３に表示されることにより、顧客向けタッチパネル１１の清掃を作業員に促すことができる。
【００２９】
次に、制御部６０は、ステップＳ１４２において、作業員が装置前面側へ移動して作業員スイッチ４０を押下して作業員スイッチ４０がＯＮとなるまで待機する。そして、作業員スイッチ４０がＯＮとなったことを確認した場合には、制御部６０は、ステップＳ１４４において、顧客操作部１０の表示制御部１４を介して顧客向け表示部１３に、顧客向けタッチパネル１１の要清掃領域を示す「要清掃領域画面」を表示させる。図９は、要清掃領域画面ＰＣＩの一例を示す説明図である。図９に示すように、要清掃領域画面ＰＣＩには、顧客向けタッチパネル１１の要清掃領域に対応する領域を示す画像が表示される。そして、制御部６０は、作業員が再び作業員スイッチを押下して、ステップＳ１４６において作業員スイッチがＯＦＦとなったことを確認するまで要清掃領域画面の表示を維持して待機する。この間に、作業員は顧客向けタッチパネル１１の清掃を行なうことができる。なお、作業員は顧客向け表示部１３の要清掃領域の表示を見ながら顧客向けタッチパネル１１の清掃を行なうことができるので、清掃が容易である。
【００３０】
以上のように、顧客向けタッチパネル１１の汚れに対応するステップＳ１４０〜Ｓ１４６の処理により、作業員による顧客向けタッチパネル１１の清掃が実行される。
【００３１】
故障に対応するステップＳ１５０〜Ｓ１５６は、以下のように実行される。ステップＳ１３８において、顧客向けタッチパネル１１に故障の可能性があると判定した場合、制御部６０は、まず、ステップＳ１５０において、作業員操作部２０の表示制御部２４を介して作業員向け表示部２３に、顧客操作部１０の顧客向けタッチパネル１１の点検を促すための「点検要通知画面」を表示させる。図１０は点検要通知画面ＰＲＱＩの一例を示す説明図である。点検要通知画面ＰＲＱＩには、顧客操作部１０の顧客向けタッチパネル１１が故障の可能性があり、点検が必要であることを示すメッセージとともに、異常入力を検知した座標（座標領域）の周辺の領域(異常入力と判定した座標（座標領域）を中心とした例えば半径５ｃｍの領域)を含む要点検領域を概略的に示す画面が表示される。これらの顧客向けタッチパネル１１の点検を促すための情報が作業員向け表示部２３に表示されることにより、顧客向けタッチパネル１１の点検を作業員に促すことができる。
【００３２】
次に、制御部６０は、ステップＳ１５２において、作業員が装置前面側へ移動して作業員スイッチ４０を押下して作業員スイッチ４０がＯＮとなるまで待機する。そして、作業員スイッチ４０がＯＮとなったことを確認した場合には、制御部６０は、ステップＳ１５４において、顧客操作部１０の表示制御部１４を介して顧客向け表示部１３に、顧客向けタッチパネル１１の要点検領域所を示す「要点検領域画面」を表示させる。なお、この要点検領域画面は、図９に示した要清掃領域画面と同様であるので図示を省略する。そして、制御部６０は、作業員が再び作業員スイッチを押下して、ステップＳ１５６において作業員スイッチがＯＦＦとなったことを確認するまで要点検領域画面の表示を維持して待機する。この間に、作業員は顧客向けタッチパネル１１の点検を行なうことができる。なお、作業員は顧客向け表示部１３の要点検領域の表示を見ながら顧客向けタッチパネル１１の点検を行なうことができるので、点検が容易である。
【００３３】
以上のように、顧客向けタッチパネル１１の故障に対応するステップＳ１５０〜Ｓ１５６の処理により、作業員による顧客向けタッチパネル１１の点検が実行される。
【００３４】
ステップＳ１４６あるいはステップＳ１５６において、作業員スイッチ４０がＯＦＦとなったことを確認した場合には、制御部６０は、ステップＳ１６０において、顧客操作部１０のＴＰ制御部１２に対して自動キャンセル機能を有効化するコマンドを送信することにより、自動キャンセル機能を有効化する。そして、制御部６０は、ステップＳ１６２において、作業員操作部２０の作業員向け表示部２３に表示されている画面（「清掃要通知画面」（図８）、「点検要通知画面」（図１０）、「異常なし通知画面」(図示省略)）の「完了」ボタンＢｅを押下したかチェックする。「リセット」ボタンＢｓの押下を確認した場合には、制御部６０は、ステップＳ１０４に戻って、再度、顧客向けタッチパネル１１の入力検知状態を検査の処理フローが実行される。これにより、例えば、顧客向けタッチパネル１１の清掃の完了後に、再度、顧客向けタッチパネル１１の入力検知状態の検査を行なって、清掃によって異常入力が解消されたか否かを確認することができる。これに対して、「完了」ボタンＢｅの押下を確認した場合には、制御部６０は、入力検知状態を検査の処理フローを終了し、他のリセット処理に含まれる処理が残されている場合には、その処理を実行した後、作業員操作部２０の作業員向け表示部２３に図３に示した作業員処理メニュー画面ＰＳＭを表示させる。なお、「完了」ボタンＢｅの押下および「リセット」ボタンＢｓの押下に伴って、清掃あるいは点検の履歴が統計ログファイル６１に保存される。
【００３５】
以上説明したように、リセット処理において入力検知状態を検査の処理を実行することにより、装置前面の顧客操作部１０の顧客向けタッチパネル１１の異常入力の有無を判定し、作業員（上記説明では係員）に対して通知してその対応を促すことができる。具体的には、異常入力が顧客向けタッチパネル１１の汚れによるものか、故障の可能性によるものかを判定して通知し、作業員に顧客向けタッチパネル１１の清掃もしくは点検を促すことができる。
【００３６】
図３に示した作業員処理メニュー画面ＰＳＭから、作業員（例えば、保守員）が、「保守」ボタンＢｍを押下することにより、種々の保守処理の実行が可能となる。図１１は、保守処理の実行時に作業員操作部２０の作業員向け表示部２３に表示される保守処理メニュー画面ＰＭＭを示す説明図である。なお、保守処理が実行された際には、顧客操作部１０の顧客向け表示部１３には、取扱中止画面が表示される（図４（Ｂ）参照）。
【００３７】
作業員が、保守処理メニュー画面ＰＭＭに示された選択可能な処理（図の例では、「点検」、「テスト」、「寿命管理」等）のボタンから「寿命管理」ボタンＢｃを押下することにより、制御部６０によって寿命管理の処理が実行される。図１２は、寿命管理の処理の実行時に作業員操作部２０の作業員向け表示部２３に表示される寿命管理メニュー画面ＰＬＣを示す説明図である。作業員（保守員）が、例えば、顧客操作部１０の顧客向けタッチパネル１１の「寿命管理」ボタンＢｔを押下することにより、制御部６０によって、顧客向けタッチパネル１１の寿命管理の処理が実行され、寿命管理の一つとして顧客向けタッチパネル１１の異常入力の検査が実行される。
【００３８】
図１３は、顧客操作部１０の顧客向けタッチパネル１１の寿命管理において実行される異常入力を検査する処理フローを示す説明図である。この処理を開始すると、制御部６０は、まず、ステップＳ２０２において図７のステップＳ１３６と同様に、統計ログファイル６１を参照することにより、直近の過去の一定期間、例えば、１か月（３０日）の間における異常入力発生回数を取得し、発生回数パラメータＮｍに設定する。
【００３９】
そして、ステップＳ２０４において、異常入力が発生しているか否かをチェックする。異常入力が発生していない（Ｎｍ＝０）場合には、制御部６０は、異常入力はないと判定して、その旨を示す異常なし通知画面（図示省略）を作業員操作部２０の表示制御部２４を介して作業員向け表示部２３に表示させ、後述するステップＳ２５０へ処理を移行する。これに対して、異常入力が発生している（Ｎｍ＞０）場合には、制御部６０は、更に、ステップＳ２０６において、図７のステップＳ１３８と同様に、異常入力発生回数が３回未満であるか否かをチェックする。異常入力発生回数が３回未満（Ｎｍ＜３）の場合には、制御部６０は、顧客向けタッチパネル１１に汚れが発生していると判定し、汚れに対応するステップＳ２１０〜Ｓ２２０へ処理を移行する。一方、異常入力発生回数が３回以上（Ｎｍ≧３）の場合には、制御部６０は、顧客向けタッチパネル１１に故障の可能性があると判定し、故障に対応するステップＳ２３０〜Ｓ２４０へ処理を移行する。
【００４０】
汚れに対応するステップＳ２１０〜Ｓ２２０は、以下のように実行される。ステップＳ１３８において、顧客向けタッチパネル１１に汚れが発生していると判定した場合、制御部６０は、まず、ステップＳ２１０において、作業員操作部２０の表示制御部２４を介して作業員向け表示部２３に、寿命管理情報画面として、顧客操作部１０の顧客向けタッチパネル１１の汚れの清掃を促すための「清掃要通知画面」を表示させる。図１４は寿命管理情報画面として表示される清掃要通知画面ＰＬＲＱＣの一例を示す説明図である。清掃要通知画面ＰＬＲＱＣには、図８に示した清掃要通知画面ＰＲＱＣと同様に、顧客操作部１０の顧客向けタッチパネル１１が汚れており、清掃が必要であることを示すメッセージとともに、異常入力を検知した座標（座標領域）の周辺の領域を含む要清掃領域を概略的に示す画面が表示される。また、清掃要通知画面ＰＬＲＱＣには、さらに、清掃履歴が表示される。これにより、顧客向けタッチパネル１１の清掃を作業員に促すことができる。なお、清掃履歴は上記したように統計ログファイル６１に保存されており、これを参照することにより表示が可能である。
【００４１】
次に、制御部６０は、ステップＳ２１２において、作業員が装置前面側へ移動して作業員スイッチ４０を押下して作業員スイッチ４０がＯＮとなったか否かをチェックする。作業員スイッチがＯＮでない場合には、制御部６０は、さらに、ステップＳ２１４において、作業員が清掃要通知画面ＰＬＲＱＣ（図１４参照）の「印字」ボタンＢｐを押下したか否かチェックする。作業員が「印字」ボタンＢｐを押下した場合には、制御部６０は、ステップＳ２１８において、清掃要であることを示す清掃要通知の印字を明細票印字部５０で実行させ、清掃要通知が印字された明細票を出力させる。図１５は、清掃要通知が印字された明細票ＰＳＣの一例を示す説明図である。明細票ＰＳＣには、顧客操作部１０の顧客向けタッチパネル１１が汚れており、清掃を促すメッセージが印字されるとともに、顧客向けタッチパネル１１の寿命、稼働時間および清掃履歴が印字される。なお、寿命、稼働時間および清掃履歴は統計ログファイル６１に保存されており、これを参照することにより印字が可能である。
【００４２】
作業員が「印字」ボタンＢｐを押下しない場合、及び、清掃要通知の印字を行なった後は、制御部６０は、ステップＳ２１２へ戻り、作業員スイッチ４０がＯＮとなるまでステップＳ２１２〜Ｓ２１６の処理を繰り返す。
【００４３】
そして、作業員スイッチ４０がＯＮとなったことを確認した場合には、制御部６０は、ステップＳ２１８において、図７のステップＳ１４４と同様に、顧客操作部１０の表示制御部１４を介して顧客向け表示部１３に、顧客向けタッチパネル１１の要清掃領域を示す「要清掃領域画面」（図９参照）を表示させる。そして、制御部６０は、作業員が再び作業員スイッチ４０を押下して、ステップＳ２２０において作業員スイッチ４０がＯＦＦとなったことを確認するまで要清掃領域画面の表示を維持して待機する。この間に、作業員は顧客向けタッチパネル１１の清掃を行なうことができる。
【００４４】
以上のように、顧客向けタッチパネル１１の汚れに対応するステップＳ２１０〜Ｓ２２０の処理により、作業員による顧客向けタッチパネル１１の清掃が実行される。
【００４５】
故障に対応するステップＳ２３０〜Ｓ２４０は、以下のように実行される。ステップＳ２３０において、顧客向けタッチパネル１１に故障の可能性があると判定した場合、制御部６０は、まず、ステップＳ２３０において、作業員操作部２０の表示制御部２４を介して作業員向け表示部２３に、寿命管理情報画面として、顧客操作部１０の顧客向けタッチパネル１１の点検を促すための「点検要通知画面」を表示させる。図１６は点検要通知画面ＰＬＲＱＩの一例を示す説明図である。点検要通知画面ＰＬＲＱＩには、図１０に示した点検要通知画面ＰＲＱＩと同様に、顧客操作部１０の顧客向けタッチパネル１１が故障の可能性があり、点検が必要であることを示すメッセージとともに、異常入力を検知した座標（座標領域）の周辺の領域を含む要点検領域を概略的に示す画面が表示される。また、点検要通知画面ＰＬＲＱＩには、さらに、清掃履歴が表示される。これにより、顧客向けタッチパネル１１の点検を作業員に促すことができる。
【００４６】
次に、制御部６０は、ステップＳ２３２において、作業員が装置前面側へ移動して作業員スイッチ４０を押下して作業員スイッチ４０がＯＮとなったか否かをチェックする。作業員スイッチがＯＮでない場合には、制御部６０は、さらに、ステップＳ２３４において、作業員が点検要通知画面ＰＬＲＱＩ（図１６参照）の「印字」ボタンＢｐを押下したか否かチェックする。作業員が「印字」ボタンＢｐを押下した場合には、制御部６０は、ステップＳ２３６において、点検要であることを示す点検要通知の印字を明細票印字部５０で実行させ、点検要通知が印字された明細票を出力させる。図１７は、点検要通知が印字された明細票ＰＳＩの一例を示す説明図である。明細票ＰＳＩには、顧客操作部１０の顧客向けタッチパネル１１に故障の可能性があり、点検を促すメッセージ、及び、必要に応じて交換を促すメッセージが印字されるとともに、顧客向けタッチパネル１１の寿命、稼働時間および清掃履歴が印字される。稼働時間、寿命および清掃履歴は統計ログファイル６１に保存されており、これを参照することにより印字が可能である。
【００４７】
作業員が「印字」ボタンＢｐを押下しない場合、及び、清掃要通知の印字を行なった後は、制御部６０は、ステップＳ２３２へ戻り、作業員スイッチ４０がＯＮとなるまでステップＳ２３２〜Ｓ２３６の処理を繰り返す。
【００４８】
そして、作業員スイッチ４０がＯＮとなったことを確認した場合には、制御部６０は、ステップＳ２３８において、図７のステップＳ１５４と同様に、顧客操作部１０の表示制御部１４を介して顧客向け表示部１３に、顧客向けタッチパネル１１の要点検領域を示す「要点検領域画面」（図９参照）を表示させる。そして、制御部６０は、作業員が再び作業員スイッチ４０を押下して、ステップＳ２２０において作業員スイッチ４０がＯＦＦとなったことを確認するまで要点検領域画面の表示を維持して待機する。この間に、作業員は顧客向けタッチパネル１１の点検を行なうことができる。
【００４９】
ステップＳ２２０あるいはステップＳ２４０において、作業員スイッチ４０がＯＦＦとなったことを確認した場合には、制御部６０は、ステップＳ２５０において、作業員操作部２０の作業員向け表示部２３に表示されている画面（「清掃要通知画面」（図１４）、「点検要通知画面」（図１６）、「異常なし通知画面」(図示省略)）の「終了」ボタンＢｅｄを押下したかチェックする。「終了」ボタンＢｅｄの押下を確認した場合には、制御部６０は、異常入力の検査の処理フローを終了する。なお、「終了」ボタンＢｅｄの押下に伴って、清掃あるいは点検の履歴が統計ログファイル６１に保存される。
【００５０】
以上説明したように、保守処理（寿命管理処理）において、統計ログファイル６１に保存されている異常入力発生のログに基づいて、異常入力が顧客向けタッチパネル１１の汚れによるものか、故障の可能性によるものかを判定して、作業員（保守員）に対して通知し、顧客向けタッチパネル１１の清掃もしくは点検を促すことができる。
【００５１】
Ｂ．変形例：
なお、この発明は上記の実施例や実施形態に限られるものではなく、その要旨を逸脱しない範囲において種々の態様において実施することが可能であり、例えば次のような変形も可能である。
【００５２】
上記した実施形態では、作業員操作部２０は、作業員の入力を受け付ける作業員向けたタッチパネル２１と、作業員向けタッチパネル２１の下面に配置された作業員向け表示部２３と、を備える構成を例に説明した。しかしながら、作業員の入力を受け付ける操作入力部としてはタッチパネルに限定されるものではなく、キーボード等の他の入力装置が用いられるようにしてもよい。作業員向け表示部２３とは別に、表示部と表示部上に配置されたタッチパネルとを有する操作入力部を備える構成としてもよい。
【００５３】
上記した実施形態では、作業員が「リセット」ボタンＢｒを押下することによるリセット処理中のあらかじめ定められたタイミングにおいて顧客向けタッチパネル１１の入力状態の検査の処理が実行されるものとして説明したが、これに限定されるものではなく、種々の他のタイミングで実行されるようにしてもよい。例えば、作業員処理メニュー画面ＰＳＭ（図３）に、顧客向けタッチパネルの入力状態の検査の処理のボタンを用意して、このボタンを作業員が押下することによって、顧客向けタッチパネルの入力状態の検査の処理が実行されるようにしてもよい。すなわち、顧客向けタッチパネルの入力状態の検査の開始要求が作業員によって操作入力部を介してなされた場合に、顧客向けタッチパネル１１の入力状態の検査の処理が実行されるものとすればよい。
【００５４】
また、上記した実施形態では、顧客向けタッチパネル１１の「寿命管理」ボタンＢｔを押下することにより実行されるタッチパネル１１寿命管理の処理中の予め定めたタイミングにおいて、統計ログファイル６１に基づいて顧客向けタッチパネル１１の入力状態の検査の処理が実行されるものとして説明した。しかしながら、これに限定されるものではなく、種々の他のタイミングにおいて実行されるようにしてもよい。例えば、保守処理メニュー画面ＰＭＭ（図１１）に、顧客向けタッチパネルの入力状態の検査の処理のボタンを用意して、このボタンを作業員が押下することによって、統計ログファイル６１に基づいて顧客向けタッチパネル１１の入力状態の検査の処理が実行されるようにしてもよい。すなわち、統計ログファイル６１に基づく顧客向けタッチパネルの入力状態の検査の開始要求が作業員によって操作入力部を介してなされた場合に、統計ログファイル６１に基づいて顧客向けタッチパネル１１の入力状態の検査の処理が実行されるものとすればよい。
【００５５】
また、上記実施形態では、顧客操作部１０の顧客向けタッチパネル１１の保守処理の一つとしての寿命管理の処理において実行される異常入力を検査する処理において、異常入力が有ると判定された場合に、その異常入力に対応する処理が必要であり、その対応する処理を作業員に促すメッセージを明細票に印字する場合を例に説明している。例えば、異常入力が顧客向けタッチパネル１１の汚れによるものであると判定された場合には、清掃要であり、清掃を促すための清掃要通知を明細票に印字し、異常入力が顧客向けタッチパネル１１の故障の可能性によるものと判定された場合には、点検要であり点検を促すための点検要通知を明細票に印字している。これらの明細票への印字は、例えば、リセット処理において実行される入力検知状態を検査の処理（図５〜７参照）において、例えば、ステップＳ１４０やステップＳ１５０の後に、作業員の印字要求に応じて実行されるようにしてもよい。
【００５６】
また、制御部６０は、ＣＰＵや、ＲＯＭ、ＲＡＭ等を備えるコンピュータで構成され、ソフトウェアがＣＰＵによって実行されることにより、各種の処理に応じて各部の動作を制御するものとして説明した。しかしながら、制御部６０の構成としては、特に限定されず、各処理を実行する機能の一部または全部を、例えば、集積回路で設計する等によりハードウェアで実現してもよい。
【００５７】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや組み合わせを行うことが可能である。また、その技術的特徴が本明細書中に必須なものとして説明されていなければ、適宜、削除することが可能である。
【符号の説明】
【００５８】
１０…顧客操作部
１１…タッチパネル（顧客向けタッチパネル）
１２…タッチパネル制御部（ＴＰ制御部）
１３…表示部（顧客向け表示部）
１４…表示制御部
２０…作業員操作部
２１…タッチパネル（作業員向けタッチパネル）
２２…タッチパネル制御部（ＴＰ制御部）
２３…表示部（作業員向け表示部）
２４…表示制御部
３０…顧客検知センサ
３２…カメラ
４０…作業員スイッチ
５０…明細票印字部
６０…制御部
６１…統計ログファイル
６２…パラメータ
１００…自動取引装置
１０２…作業扉
１０４…確認窓
ＰＲＱＣ…清掃要通知画面
ＰＲＱＩ…点検要通知画面
ＰＬＲＱＣ…清掃要通知画面
ＰＬＲＱＩ…点検要通知画面
ＰＣＩ…要清掃領域画面
ＰＬＣ…寿命管理メニュー画面
ＰＣＲ…取扱中止画面
ＰＳＣ…明細票
ＰＭＭ…保守処理メニュー画面
ＰＳＩ…明細票
ＰＳＭ…作業員処理メニュー画面
ＰＲＱ…清掃要通知画面
ＰＳＲ…リセット処理中画面
Ｂｃ…「寿命管理」ボタン
Ｂｐ…「印字」ボタン
Ｂｒ…「リセット」ボタン
Ｂｓ…「リセット」ボタン
Ｂｔ…「寿命管理」ボタン
Ｂｅ…「完了」ボタン
Ｂｅｄ…「終了」ボタン
Ｎｃ…チェック回数パラメータ
Ｎｉ…入力検知回数パラメータ
Ｎｍ…発生回数パラメータ
Ａｘｙ（ｎｉ）…配列パラメータ
【図１】
0006309383.tif 000002
【図２】
0006309383.tif 000003
【図３】
0006309383.tif 000004
【図４】
0006309383.tif 000005
【図５】
0006309383.tif 000006
【図６】
0006309383.tif 000007
【図７】
0006309383.tif 000008
【図８】
0006309383.tif 000009
【図９】
0006309383.tif 000010
【図１０】
0006309383.tif 000011
【図１１】
0006309383.tif 000012
【図１２】
0006309383.tif 000013
【図１３】
0006309383.tif 000014
【図１４】
0006309383.tif 000015
【図１５】
0006309383.tif 000016
【図１６】
0006309383.tif 000017
【図１７】
0006309383.tif 000018